(57)【要約】【課題】意匠の照明用に回路基板に実装された光源素子の出射する光が所望の範囲外に漏れることを防止して、インジケータ意匠の視認性を向上させることができ、且つ、光源素子が接続される回路基板上の銅箔パターンが過大な応力によってダメージを受けることを防止することができるインジケータ照明装置を提供すること。【解決手段】インジケータ意匠２９を照明する光源素子５０が実装される回路基板３０の表面に設けられて光源素子５０の端子が半田付けされる光源接続用銅箔パターン３１は、当該回路基板３０側に位置するライトケース４０の底部４１の外形の外に延出した延出部３１１を備え、該延出部３１１に、制御用銅箔パターン３２に接続するパターン接続部３３が設けられる。【選択図】図２
2015075326.tif 000002
【特許請求の範囲】
【請求項１】
光の照射を受けるインジケータ意匠が形成された表示板と、
前記表示板の裏面側に配置されて、前記インジケータ意匠に照射する光を出射する光源素子が前記インジケータ意匠と対向する位置に実装された回路基板と、
前記表示板と前記回路基板との間において前記光源素子の周囲を囲って、前記光源素子の出射する光が、前記インジケータ意匠が形成された領域以外に漏れることを規制するライトケースと、
を備えるインジケータ照明装置であって、
前記回路基板は、当該回路基板の表面に設けられて前記光源素子の端子が半田付けされる光源接続用銅箔パターンと、当該回路基板の裏面に設けられて前記光源素子の点灯を制御する制御回路に接続される制御用銅箔パターンと、前記光源接続用銅箔パターンと前記制御用銅箔パターンとを導通接続するパターン接続部と、を備え、
前記光源接続用銅箔パターンは、前記回路基板側に位置する前記ライトケースの底部の外形の外に延出した延出部を備え、該延出部に前記パターン接続部が設けられた
ことを特徴とするインジケータ照明装置。
【請求項２】
前記パターン接続部は、前記回路基板に積層される銅箔パターン相互を接続するビア接続部であることを特徴とする請求項１に記載のインジケータ照明装置。
【発明の詳細な説明】
【技術分野】
【０００１】
本発明は、例えば、車両用のコンビネーションメータ内に設けられたウォーニングランプ等のインジケータ照明装置に関する。
【背景技術】
【０００２】
例えば、自動車のコンビネーションメータには、各種警報表示灯（ウォーニングランプ）やシフト表示灯、ハイビーム表示灯等のインジケータ照明装置が設けられている。この種のインジケータ照明装置は、文字板（表示板）に印刷した意匠がそれぞれ独立して点灯するように、文字板の背後のライトケースに個別のランプ室を設けている（例えば、特許文献１参照）。
【０００３】
図５（ａ）は一般的なインジケータ照明装置の断面図、図５（ｂ）は意匠を印刷した表示板の正面図である。
【０００４】
図５（ａ）及び図５（ｂ）に示すように、このインジケータ照明装置は、回路基板１２０と、回路基板１２０に搭載されたＬＥＤ等の光源素子１５０と、光源素子１５０の光の照射方向における前方に配置されたインジケータ意匠１１３を有する光透過性の表示板１１０と、光源素子１５０と表示板１１０との間の照光空間１０５（ランプ室に相当）を取り囲むように形成された多角形筒状の周側壁１１１を有するライトケース１００と、を具備している。
【０００５】
表示板１１０は、四角形筒状の周側壁１１１の前面開口を塞ぐように配置され、回路基板１２０は、周側壁１１１の後面開口を塞ぐように配置されている。回路基板１２０上の光源素子１５０と表示板１１０との間の照光空間１０５を取り囲むように設けられた周側壁１１１は、回路基板１２０側から表示板１１０側に向かうに従って拡がった四角錐面状に形成されており、周側壁１１１の内面は、光源素子１５０の出射する光を前方の表示板１１０に向けて反射する反射面１１２として構成されている。
【先行技術文献】
【特許文献】
【０００６】
【特許文献１】特開２０１０−１２２０６２号公報
【発明の概要】
【発明が解決しようとする課題】
【０００７】
ところで、光源素子１５０が実装される回路基板１２０は、通常、図６〜図８に示すように、光源接続用銅箔パターン１２１と、制御用銅箔パターン１２２と、これらの銅箔パターン１２１，１２２を接続するパターン接続部１２３と、を備える。
【０００８】
光源接続用銅箔パターン１２１は、当該回路基板１２０の表面に設けられて、光源素子１５０の端子が半田付けされるランド部１２５を有する。この光源接続用銅箔パターン１２１は、図７に示すように、ランド部１２５によって、光源素子１５０の端子部１５１が導通接続される。
【０００９】
制御用銅箔パターン１２２は、回路基板１２０の裏面に設けられて光源素子１５０の点灯を制御する制御回路に接続される銅箔パターンである。
【００１０】
パターン接続部１２３は、光源接続用銅箔パターン１２１と制御用銅箔パターン１２２とを導通接続する部位で、図示例の場合、基板の表面から隆起した隆起部１２３ａが残るビア接続部である。
【００１１】
図７に示した光源素子１５０の接続構造では、図８にも示すように、光源接続用銅箔パターン１２１が、ライトケース１３０の底部１３１の開口１３１ａ内に収まる大きさに形成されている。そして、底部１３１の直下に、ビア接続部であるパターン接続部１２３が設定されている。
【００１２】
このような光源素子１５０の接続構造では、パターン接続部１２３の隆起部１２３ａとライトケース１３０との干渉を回避するために、図７に示すように、ライトケース１３０を、回路基板１２０から距離Ｓ１だけ浮かした取り付け構造にする必要がある。しかし、ライトケース１３０を回路基板１２０から浮かせると、ライトケース１３０の底部１３１と制御用銅箔パターン１２２との離間した距離Ｓ１が、光源素子１５０の出射する光を周囲に漏らす隙間となる。そして、距離Ｓ１の隙間からの光の漏れによって、インジケータ意匠１１３への照射光量が減るだけでなく、インジケータ意匠１１３の周囲にも照明光が当たって、インジケータ意匠１１３の視認性が低下するという問題が生じる。
【００１３】
一方、光の漏れを軽減するために、ライトケース１３０の底部１３１をパターン接続部１２３に当接させた状態にすると、ライトケース１３０との当接によって、パターン接続部１２３に過大な応力が作用するおそれがある。そして過大な応力の作用によって、パターン接続部１２３に接続されている光源接続用銅箔パターン１２１や制御用銅箔パターン１２２がダメージを受けて、耐久性の低下を招くおそれがあった。
【００１４】
そこで、本発明の目的は、上記課題を解消することに係り、インジケータ意匠の照明用に回路基板に実装された光源素子の出射する光が所望の範囲外に漏れることを防止して、インジケータ意匠の視認性を向上させることができ、且つ、光源素子が接続される回路基板上の銅箔パターンが過大な応力によってダメージを受けることを防止することができるインジケータ照明装置を提供することにある。
【課題を解決するための手段】
【００１５】
本発明の前述した目的は、下記の構成により達成される。
（１）  光の照射を受けるインジケータ意匠が形成された表示板と、
前記表示板の裏面側に配置されて、前記インジケータ意匠に照射する光を出射する光源素子が前記インジケータ意匠と対向する位置に実装された回路基板と、
前記表示板と前記回路基板との間において前記光源素子の周囲を囲って、前記光源素子の出射する光が、前記インジケータ意匠が形成された領域以外に漏れることを規制するライトケースと、
を備えるインジケータ照明装置であって、
前記回路基板は、当該回路基板の表面に設けられて前記光源素子の端子が半田付けされる光源接続用銅箔パターンと、当該回路基板の裏面に設けられて前記光源素子の点灯を制御する制御回路に接続される制御用銅箔パターンと、前記光源接続用銅箔パターンと前記制御用銅箔パターンとを導通接続するパターン接続部と、を備え、
前記光源接続用銅箔パターンは、前記回路基板側に位置する前記ライトケースの底部の外形の外に延出した延出部を備え、該延出部に前記パターン接続部が設けられた
ことを特徴とするインジケータ照明装置。
【００１６】
（２）  前記パターン接続部は、前記回路基板に積層される銅箔パターン相互を接続するビア接続部であることを特徴とする上記（１）に記載のインジケータ照明装置。
【００１７】
上記（１）の構成によれば、光源接続用銅箔パターンは、回路基板側に位置するライトケースの底部の外形の外に延出した延出部を備え、該延出部にパターン接続部が設けられる。そのため、ライトケースの底部を回路基板の表面に当接させても、ライトケースの底部がパターン接続部と干渉することがない。したがって、ライトケースの底部を隙間なく回路基板の表面に当接させて、光源の出射する光が所望の範囲外に漏れることを防止し、インジケータ意匠の視認性を向上させることができる。
【００１８】
また、パターン接続部が回路基板の表面に隆起部を形成するビア接続部であっても、ライトケースとの干渉でビア接続部における隆起部に過大な応力が作用することがないため、回路基板の耐久性を向上させることができる。
【００１９】
上記（２）の構成によれば、パターン接続部が、スルーホール接続をする場合と比較して、回路基板上のパターン設計が容易なビア接続部であることから、インジケータ照明装置の製造が容易である。
【発明の効果】
【００２０】
本発明によるインジケータ照明装置によれば、インジケータ意匠の照明用に回路基板に実装された光源素子の出射する光が所望の範囲外に漏れることを防止して、インジケータ意匠の視認性を向上させることができ、且つ、光源素子が接続される回路基板上の銅箔パターンが過大な応力によってダメージを受けることを防止することができる。
【００２１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２２】
【図１】図１は本発明に係るインジケータ照明装置の一実施形態を備えた計器装置の正面図である。
【図２】図２はインジケータ照明装置の構造を示す断面図である。
【図３】図３は図２のＢ部の拡大図である。
【図４】図４は図２に示した光源接続用銅箔パターン及びパターン接続部とライトケースとの位置関係を示す平面図である。
【図５】図５（ａ）は一般的なインジケータ照明装置の断面図、図５（ｂ）は意匠を印刷した表示板の正面図である。
【図６】図６は図５に示した光源素子と回路基板上の銅箔パターンとの接続構造を示す拡大断面図である。
【図７】図７は図６のＡ部の拡大図である。
【図８】図８は図７に示した光源接続用銅箔パターン及びパターン接続部とライトケースとの位置関係を示す平面図である。
【発明を実施するための形態】
【００２３】
以下、本発明に係るインジケータ照明装置の好適な実施形態について、図面を参照して詳細に説明する。
【００２４】
図１〜図４は本発明に係るインジケータ照明装置の一実施形態を示したもので、図１は本発明の一実施形態のインジケータ照明装置を備えた計器装置の正面図、図２はインジケータ照明装置の構造を示す断面図、図３は図２のＢ部の拡大図、図４は図２に示した光源接続用銅箔パターン及びパターン接続部とライトケースとの位置関係を示す平面図である。
【００２５】
計器装置は、車両のダッシュボードに配備されるコンビネーションメータで、図１及び図２に示すように、表示板１０と、表示板１０の裏面側に配置される回路基板３０と、回路基板３０と表示板１０との間に配置されるライトケース４０と、を備えている。
【００２６】
表示板１０上には、図１に示すように、水温計２１、速度計２２、燃料計２３、シフトインジケータ２４、トリップメータ２５、左折用ターンライトの点灯指示部２６、右折用ターンライトの点灯指示部２７、などの各種の計器及び表示器が配置されている。また、表示板１０の中央に位置する速度計２２の外周部には、円形の装飾リング２８が装備されている。
【００２７】
また、表示板１０には、各種のインジケータ意匠２９が配列されている。それぞれのインジケータ意匠２９は、光の照射を受けて光輝する。
【００２８】
表示板１０上のそれぞれのインジケータ意匠２９は、光が透過可能な透明樹脂によって所定の意匠形状に形成されており、これらのインジケータ意匠２９の周囲は、例えば黒色の遮光性インクの印刷によって、遮光性が付与されている。そのため、それぞれのインジケータ意匠２９は、個別に、その裏面側から光が照射されることで、意匠形状に光輝して、警告を果たす。
【００２９】
回路基板３０は、図２に示すように、インジケータ意匠２９に照射する光を出射するＬＥＤ等の光源素子５０が、それぞれのインジケータ意匠２９と対向する位置に実装されている。
【００３０】
本実施形態の回路基板３０は、図２及び図３に示すように、光源接続用銅箔パターン３１と、制御用銅箔パターン３２と、パターン接続部３３と、を備えている。
【００３１】
光源接続用銅箔パターン３１は、当該回路基板３０の表面に設けられて、光源素子５０の端子５１が半田付けされるランド３６を有する。
【００３２】
本実施形態の光源接続用銅箔パターン３１は、図４に示すように、回路基板３０側に位置するライトケース４０の底部４１の外形の外に延出した延出部３１１を備えている。この延出部３１１は、ライトケース４０の底部４１が当接する部位のパターン幅Ｗ１が、通常のパターン幅Ｗ２よりも大きく設定されている。このようにパターン幅Ｗ１を大きく設定することで、ライトケース４０の底部４１の当接によって受ける応力を緩和することができる。
【００３３】
本実施形態の光源接続用銅箔パターン３１は、ライトケース４０の底部４１の外に延出した延出部３１１に、パターン接続部３３が設けられている。
【００３４】
制御用銅箔パターン３２は、回路基板３０の裏面に設けられている。この制御用銅箔パターン３２は、光源素子５０の点灯を制御する制御回路に接続されている。
【００３５】
パターン接続部３３は、光源接続用銅箔パターン３１と制御用銅箔パターン３２とを導通接続する部位である。本実施形態におけるパターン接続部３３は、回路基板３０に積層されている光源接続用銅箔パターン３１と制御用銅箔パターン３２とを導通接続するビア接続部である。
【００３６】
ライトケース４０は、表示板１０と回路基板３０との間において、光源素子５０の周囲を囲って、光源素子５０が出射する光が、インジケータ意匠２９が形成された領域以外に漏れることを規制する。このライトケース４０は、回路基板３０の表面に当接する底部４１から表示板１０の裏面に当接する上端部４２に向かって徐々に径が拡大するテーパ管状になっている。上端部４２の内径は、一つのインジケータ意匠２９の周囲を囲う大きさである。
【００３７】
ライトケース４０の底部４１の外形は、図４に示すように、延出部３１１上のパターン接続部３３よりも内側に収まる大きさである。
【００３８】
以上に説明した一実施形態のインジケータ照明装置１では、光源接続用銅箔パターン３１は、回路基板３０側に位置するライトケース４０の底部４１の外形の外に延出した延出部３１１を備え、該延出部３１１にパターン接続部３３が設けられる。そのため、ライトケース４０の底部４１を回路基板３０の表面に当接させても、ライトケース４０の底部４１がパターン接続部３３と干渉することがない。したがって、ライトケース４０の底部４１を隙間なく回路基板３０の表面に当接させて、光源素子５０が出射する光が所望の範囲外に漏れることを防止し、インジケータ意匠２９の視認性を向上させることができる。
【００３９】
また、パターン接続部３３が回路基板３０の表面に隆起部を形成するビア接続部であっても、ライトケース４０との干渉でビア接続部における隆起部に過大な応力が作用することがないため、回路基板３０の耐久性を向上させることができる。
【００４０】
また、一実施形態のインジケータ照明装置１では、パターン接続部３３が、スルーホール接続をする場合と比較して、回路基板上のパターン設計が容易なビア接続部であることから、インジケータ照明装置１の製造が容易である。
【００４１】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４２】
例えば、光源接続用銅箔パターンと制御用銅箔パターンとを導通接続するパターン接続部は、スルーホールによる接続構造とすることもできる。
【００４３】
また、光の照射を受けるインジケータ意匠は、実施形態で示したウォーニング意匠に限らない。例えば、文字板上に装備される文字意匠や目盛意匠を光の照射を受けるインジケータ意匠としても良い。
【００４４】
ここで、上述した本発明に係るインジケータ照明装置の実施形態の特徴をそれぞれ以下［１］〜［２］に簡潔に纏めて列記する。
【００４５】
［１］  光の照射を受けるインジケータ意匠（２９）が形成された表示板（１０）と、
前記表示板（１０）の裏面側に配置されて、前記インジケータ意匠（２９）に照射する光を出射する光源素子（５０）が前記インジケータ意匠（２９）と対向する位置に実装された回路基板（３０）と、
前記表示板（１０）と前記回路基板（３０）との間において前記光源素子（５０）の周囲を囲って、前記光源素子（５０）の出射する光が、前記インジケータ意匠（２９）が形成された領域以外に漏れることを規制するライトケース（４０）と、
を備えるインジケータ照明装置（１）であって、
前記回路基板（３０）は、当該回路基板（３０）の表面に設けられて前記光源素子（５０）の端子が半田付けされる光源接続用銅箔パターン（３１）と、当該回路基板（３０）の裏面に設けられて前記光源素子（５０）の点灯を制御する制御回路に接続される制御用銅箔パターン（３２）と、前記光源接続用銅箔パターン（３１）と前記制御用銅箔パターン（３２）とを導通接続するパターン接続部（３３）と、を備え、
前記光源接続用銅箔パターン（３１）は、前記回路基板（３０）側に位置する前記ライトケース（４０）の底部（４１）の外形の外に延出した延出部（３１１）を備え、該延出部（３１１）に前記パターン接続部（３３）が設けられた
ことを特徴とするインジケータ照明装置（１）。
［２］  前記パターン接続部（３３）は、前記回路基板（３０）に積層される銅箔パターン相互を接続するビア接続部であることを特徴とする上記［１］に記載のインジケータ照明装置（１）。
【符号の説明】
【００４６】
１  インジケータ照明装置
１０  表示板
２９  インジケータ意匠
３０  回路基板
３１  光源接続用銅箔パターン
３２  制御用銅箔パターン
３３  パターン接続部
４０  ライトケース
４１  底部
５０  光源素子
３１１  延出部
【図１】
2015075326.tif 000003
【図２】
2015075326.tif 000004
【図３】
2015075326.tif 000005
【図４】
2015075326.tif 000006
【図５】
2015075326.tif 000007
【図６】
2015075326.tif 000008
【図７】
2015075326.tif 000009
【図８】
2015075326.tif 000010